(57)【要約】      （修正有）【課題】複数種の物品を分離して収容可能であると共に、部材点数を抑え、取扱性を高めることができる小物入れの提供する。【解決手段】対向する一対の側壁１ａを有し、その側縁同士が繋がれた筒状のケーシング１と、上記ケーシング１の一方の端部開口側の内周面の全周に亘ってリング状に接続され、上記ケーシング内に配設される有底筒状の袋体２と、上記一方の端部開口を開閉する第１ファスナー３と、上記ケーシング１の他方の端部開口を開閉する第２ファスナー４とを備え、上記一方の端部開口を入出口として上記袋体２の内部に画定される第１物品収容部と、上記他方の端部開口を入出口として上記ケーシング１及び袋体２の間の空間によって画定される第２物品収容部とを有する。第２物品収容部の空間容積を大きくすると共に、袋体２が変形しやすく、収容可能な物品の種類を増やし、汎用性を高めることできる。【選択図】図２
2019170811.tif 000002
【特許請求の範囲】
【請求項１】
対向する一対の側壁を有し、その側縁同士が繋がれた筒状のケーシングと、
上記ケーシングの一方の端部開口側の内周面の全周に亘ってリング状に接続され、上記ケーシング内に配設される有底筒状の袋体と、
上記一方の端部開口を開閉する第１ファスナーと、
上記ケーシングの他方の端部開口を開閉する第２ファスナーと
を備え、
上記一方の端部開口を入出口として上記袋体の内部に画定される第１物品収容部と、
上記他方の端部開口を入出口として上記ケーシング及び袋体の間の空間によって画定される第２物品収容部と
を有する小物入れ。
【請求項２】
上記袋体が上記リング状に接続される部分以外で上記ケーシングに接続されていない請求項１に記載の小物入れ。
【請求項３】
上記一対の側壁が上記一方の端部開口側から他方の端部開口側に徐々に拡幅している請求項１又は請求項２に記載の小物入れ。
【請求項４】
上記一対の側壁が略台形状である請求項３に記載の小物入れ。
【請求項５】
上記側壁の厚さ方向視において上記第１ファスナーがコ字状に設けられ、上記第２ファスナーが直線状に設けられている請求項１から請求項４のいずれか１項に記載の小物入れ。
【発明の詳細な説明】
【技術分野】
【０００１】
本発明は、小物入れに関する。
【背景技術】
【０００２】
金銭や各種カード等の物品を収容するための小物入れが広く用いられている。この小物入れとしては、物品の種類に応じた複数の物品収容部を有するものが存在している。複数の物品収容部を有する小物入れとしては、例えば各種物品と１対１で対応する内部空間を有する複数の袋体（風呂敷状に物品を被覆するものや、ポケット状のもの等を含む）を有するものが公知である。また、複数の物品収容部を有する小物入れとしては、ケーシングの一方側にのみ物品入出用の開口を有するものの他、ケーシングの両側に物品入出口用の開口を有するものも発案されている（実用新案登録第３２１１２８８号公報参照）。
【先行技術文献】
【特許文献】
【０００３】
【特許文献１】実用新案登録第３２１１２８８号公報
【発明の概要】
【発明が解決しようとする課題】
【０００４】
上記公報に記載の財布は、長方形状のシート体を長手方向の中央で折り返し、この折返状態で重なり合う端縁同士をファスナーで開閉自在に接続した本体と、折返状態における本体の外面を開閉自在に被覆し、本体との間の内部空間に札を収容可能な被覆シートとを備える。また、この財布は、本体の内面側に小銭、各種カード、名刺等を収容可能な物品収容部を有する。この財布は、上記本体の内面側及び外面側にそれぞれ物品を出し入れ可能に構成されている。つまり、上記公報に記載の財布は、本体の内面側及び外面側にそれぞれ物品を収容するための袋体が形成されており、これらの袋体の開口が本体の異なる側に配設されている。
【０００５】
上記公報に記載されている従来の小物入れは、各種物品に対応する袋体を有しており、収容可能な物品の種類に併せて袋体の数も多くなる。そのため、この従来の小物入れは、収容可能な物品の種類の増加に伴って必要な部材が多くなり、小物入れ全体の重さが大きくなると共に、小物入れ自体の占有スペースが大きくなり、取扱性が低下する。
【０００６】
本発明は、このような事情に基づいてなされたものであり、複数種の物品を分離して収容可能であると共に、部材点数を抑え、取扱性を高めることができる小物入れの提供を課題とする。
【課題を解決するための手段】
【０００７】
上記課題を解決するためになされた本発明に係る小物入れは、対向する一対の側壁を有し、その側縁同士が繋がれた筒状のケーシングと、上記ケーシングの一方の端部開口側の内周面の全周に亘ってリング状に接続され、上記ケーシング内に配設される有底筒状の袋体と、上記一方の端部開口を開閉する第１ファスナーと、上記ケーシングの他方の端部開口を開閉する第２ファスナーとを備え、上記一方の端部開口を入出口として上記袋体の内部に画定される第１物品収容部と、上記他方の端部開口を入出口として上記ケーシング及び袋体の間の空間によって画定される第２物品収容部とを有する。
【０００８】
当該小物入れは、筒状のケーシングと、このケーシングの一方の端部開口側の内周面の全周に亘ってリング状に接続される袋体とを備える。当該小物入れは、上記袋体の内部に第１物品収容部が画定され、かつ上記袋体とケーシングとの間の空間に第２物品収容部が画定されており、上記ケーシングの一方の端部開口が上記第１物品収容部の物品入出口を形成し、上記ケーシングの他方の端部開口が上記第２物品収容部の物品入出口を形成している。当該小物入れは、上記第１物品収容部及び第２物品収容部の物品入出口がケーシングの両側に対向配置されているので、上記第１物品収容部及び第２物品収容部に異なる種類の物品を容易かつ確実に分離収容することができる。また、当該小物入れは、上記ケーシング及び袋体によって第１物品収容部及び第２物品収容部を画定するので、部材点数を抑えることができ、取扱性に優れる。
【０００９】
上記袋体が上記リング状に接続される部分以外で上記ケーシングに接続されていないとよい。このように、上記袋体が上記リング状に接続される部分以外で上記ケーシングに接続されていないことによって、上記第２物品収容部の空間容積を大きくすることができると共に、上記第２物品収容部に収容される物品の形状に合わせて上記袋体が変形しやすくなり、収容可能な物品の種類を増やし、汎用性を高めることできる。
【００１０】
上記一対の側壁が上記一方の端部開口側から他方の端部開口側に徐々に拡幅しているとよい。このように、上記一対の側壁が上記一方の端部開口側から他方の端部開口側に徐々に拡幅していることによって、上記第２物品収容部の空間容積を大きくすると共に、上記第２物品収容部への物品の入出作業性を高めることができる。
【００１１】
上記一対の側壁が略台形状であるとよい。このように、上記一対の側壁が略台形状であることによって、上記第２物品収容部の使用性をより高めることができる。
【００１２】
上記側壁の厚さ方向視において上記第１ファスナーがコ字状に設けられ、上記第２ファスナーが直線状に設けられているとよい。このように、上記側壁の厚さ方向視において上記第１ファスナーがコ字状に設けられ、上記第２ファスナーが直線状に設けられていることによって、上記第１物品収容部及び第２物品収容部からの物品の意図しない脱落を防止しつつ、上記第１物品収容部及び第２物品収容部への物品の入出作業性を高めることができる。
【発明の効果】
【００１３】
本発明の小物入れは、複数種の物品を分離して収容可能であると共に、部材点数を抑え、取扱性を高めることができる。
【図面の簡単な説明】
【００１４】
【図１】本発明の一実施形態に係る小物入れを示す模式的側面図である。
【図２】図１の小物入れの模式的断面図である。
【図３】図１の小物入れのケーシングの一方の端部開口を開いた状態を示す模式図である。
【図４】図１の小物入れのケーシングの他方の端部開口を開いた状態を示す模式図である。
【発明を実施するための形態】
【００１５】
以下、適宜図面を参照しつつ、本発明の実施の形態を詳説する。
【００１６】
［小物入れ］
図１，２の小物入れは、対向する一対の側壁１ａを有し、その側縁１ｄ同士が繋がれた筒状のケーシング１と、ケーシング１の一方の端部開口１ｂ側の内周面の全周に亘ってリング状に接続され、ケーシング１内に配設される有底筒状の袋体２と、一方の端部開口１ｂを開閉する第１ファスナー３と、ケーシング１の他方の端部開口１ｃを開閉する第２ファスナー４とを備える。当該小物入れは、図３，４に示すように、一方の端部開口１ｂを入出口として袋体２の内部に画定される第１物品収容部Ｐと、他方の端部開口１ｃを入出口としてケーシング１及び袋体２の間の空間によって画定される第２物品収容部Ｑとを有する。
【００１７】
当該小物入れは、第１物品収容部Ｐ及び第２物品収容部Ｑに物品が収容されていない状態では、一対の側壁１の対向方向を厚さ方向とする板状である。当該小物入れは、例えば第１物品収容部Ｐに硬貨等を収容し、第２物品収容部Ｑに札や各種カード等を収容可能な財布として用いることができる。当該小物入れは、例えば衣類のポケットに入る程度の大きさに形成される。
【００１８】
（ケーシング）
ケーシング１は、一対の側壁１ａの対向状態で重なり合う側縁１ｄ同士が直接的に又は他の連結用部材を介して間接的に繋がれることで筒状に形成されている。ケーシング１の軸方向の両側は開放されており、一対の端部開口１ｂ，１ｃが形成されている。一対の側壁１ａは、対向状態で重なり合う側縁１ｄの全領域が繋がれていてもよく、対向状態で重なり合う側縁１ｄが部分的に繋がれていてもよい。ケーシング１は、一対の側壁１ａの対向方向長さが一対の側壁１ａの幅方向（ケーシング１の軸方向及び一対の側壁１ａの対向方向と垂直な方向）長さ及び高さ方向（ケーシング１の軸方向）長さに対して小さい扁平状である。
【００１９】
一対の側壁１ａは、対向状態で略同形状に形成されている。一対の側壁１ａの材質としては、特に限定されるものではなく、皮革、布帛、合成樹脂等が挙げられる。中でも、一対の側壁１ａの材質としては、適度な強度を有すると共に、意匠性、加工性等に優れる皮革が好ましい。
【００２０】
一対の側壁１ａは対向する一対の側縁１ｄを有する。一対の側壁１ａの形状としては、対向状態で重なり合う側縁１ｄ同士が繋がれることで筒状に形成可能である限り特に限定されるものではなく、例えば円形状、楕円形状、四角形状、すり鉢状等が挙げられる。
【００２１】
一対の側壁１ａは、一方の端部開口１ｂ側から他方の端部開口１ｃ側に徐々に拡幅していることが好ましい。当該小物入れは、一対の側壁１ａが一方の端部開口１ｂ側から他方の端部開口１ｃ側に徐々に拡幅していることによって、第２物品収容部Ｑの空間容積を大きくすると共に、第２物品収容部Ｑへの物品の入出作業性を高めることができる。より詳しく説明すると、当該小物入れは、他方の端部開口１ｃ側に袋体２の底部が位置しており、第２物品収容部Ｑに物品を収容する場合、通常、袋体２の底部とケーシング１との間から物品を入れる。この点において、一対の側壁１ａが一方の端部開口１ｂ側から他方の端部開口１ｃ側に徐々に拡幅していることによって、袋体２の底部とケーシング１との隙間を大きくしやすく、この隙間から第２物品収容部Ｑに物品を入れやすい。また、当該小物入れでは、第２物品収容部Ｑの底部は袋体２とケーシング１との接続部分（後述するリング状接続部２ｃ）に形成される。当該小物入れは、一対の側壁１ａが一方の端部開口１ｂ側から他方の端部開口１ｃ側に徐々に拡幅していることによって、第２物品収容部Ｑの底部に収まった物品を他方の端部開口１ｃ側に移動させやすく、この物品を他方の端部開口１ｃから取り出しやすい。
【００２２】
一対の側壁１ａが一方の端部開口１ｂ側から他方の端部開口１ｃ側に徐々に拡幅している場合、一対の側壁１ａの形状としては、略台形状が好ましく、略等角台形状がより好ましい。一対の側壁１ａが略台形状であることで、袋体２とケーシング１との間の隙間を一方の端部開口１ｂから他方の端部開口１ｃに亘って略均一に拡幅することができる。これにより、第２物品収容部Ｑへの物品の入出作業性をより高めることができ、第２物品収容部Ｑの使用性を高めることができる。
【００２３】
一対の側壁１ａが一方の端部開口１ｂ側から他方の端部開口１ｃ側に徐々に拡幅している場合、一対の側壁１ａの幅方向を基準とする側縁１ｄの平均傾斜角度αの下限としては、８０°が好ましく、８５°がより好ましい。一方、上記平均傾斜角度αの上限としては、９０°未満であればよく、８９°が好ましい。上記平均傾斜角度αが上記下限に満たないと、第１物品収容部Ｐへの物品の入出作業性が低下するおそれがあると共に、当該小物入れの持ち運び性が不十分となるおそれがある。逆に、上記平均傾斜角度αが上記上限を超えると、第２物品収容部Ｑの空間容積を十分に大きくすることができないおそれや、第２物品収容部Ｑへの物品の入出作業性を十分に高めることができないおそれがある。なお、「一対の側壁の幅方向を基準とする側縁の平均傾斜角度」とは、一対の側壁の幅方向に対する一対の側壁の側縁の両端を結ぶ仮想直線の傾斜角度をいう。
【００２４】
一対の側壁１ａのサイズは、用途に応じて適宜設定可能であるが、一対の側壁１ａの平均幅としては、例えば５ｃｍ以上１５ｃｍ以下程度とすることができる。また、一対の側壁１ａの平均高さとしては、例えば５ｃｍ以上１０ｃｍ以下とすることができる。
【００２５】
（袋体）
袋体２は、第１物品収容部Ｐ及び第２物品収容部Ｑに物品が収容されていない状態でケーシング１の一対の側壁１ａの内側に重ねられる一対の側膜２ａを有する。袋体２は、一対の側膜２ａの側縁同士及び底縁同士が繋がれた有底筒状である。袋体２は、開口２ｂ側の周縁部がケーシング１の一方の端部開口１ｂ側の内周面の全面に亘ってリング状に接続されている。袋体２は、一対の側膜２ａの底縁がケーシング１の他方の端部開口１ｃ側に位置している。当該小物入れは、一対の側膜２ａの底縁がケーシング１の他方の開口１ｃ側に位置していることで、一対の側膜２ａを挟んでケーシング１内に形成される第２物品収容部Ｑの２つの空間それぞれに物品を収容しやすく、３種以上の物品を容易に分離して収容することができる。一対の側膜２ａの底縁がケーシング１の他方の開口１ｃ側に位置する場合、上記底縁と他方の開口１ｃとの間隔の上限としては、例えば２ｃｍが好ましく、１ｃｍがより好ましい。また、上記底縁と他方の開口１ｃとの間隔の下限としては、物品の入出作業性を高める観点から、例えば０．５ｃｍとすることができる。
【００２６】
袋体２の材質としては、特に限定されないが、例えば皮革、布帛、合成樹脂等が挙げられる。中でも、袋体２の材質としては皮革が好ましい。袋体２が皮革製であることによって、この袋体２は適度な柔軟性を有し、第２物品収容部Ｑに物品を収容した際に、この物品の形状に合わせて袋体２が適度に変形する。これにより、第２物品収容部Ｑに収容可能な物品の種類を増やすことができる。また、袋体２が皮革製であることで、この袋体２は、第２物品収容部Ｑに収容される物品の種類によっては物品収容スペースを区画する仕切りとして機能する。そのため、一対の側膜２ａを挟んでケーシング１内に形成される第２物品収容部Ｑの２つの空間それぞれに物品を収容させやすい。
【００２７】
一対の側膜２ａの形状としては、対向状態で重なり合う側縁同士及び底縁同士が繋がれることで有底筒状に形成可能である限り特に限定されるものではなく、例えば円形状、楕円形状、四角形状、すり鉢状等が挙げられる。中でも、一対の側膜２ａの形状としては、矩形状、又は開口２ｂ側から底縁側に徐々に縮幅する形状であることが好ましい。一対の側膜２ａが矩形状、又は開口２ｂ側から底縁側に徐々に縮幅する形状であることによって、上述のように一対の側壁１ａを一方の端部開口１ｂ側から他方の端部開口１ｃ側に徐々に拡幅する形状とした場合に、袋体２とケーシング１との隙間を大きくしやすい。
【００２８】
袋体２は、リング状に接続される部分（リング状接続部２ｃ）以外の部分でケーシング１に接続されていないことが好ましい。当該小物入れは、袋体２がリング状接続部２ｃ以外でケーシング１に接続されていないことによって、第２物品収容部Ｑの空間容積を大きくすることができると共に、第２物品収容部Ｑに収容される物品の形状に合わせて袋体２が変形しやすくなり、収容可能な物品の種類を増やし、汎用性を高めることできる。
【００２９】
（ファスナー）
当該小物入れは、第１ファスナー３がケーシング１の一方の端部開口１ｂを開閉し、第２ファスナー４がケーシング１の他方の端部開口１ｃを開閉するよう設けられている。具体的には、当該小物入れは、一対の側壁１ａの一対の側縁１ｄ同士の連接部分の一方側の端縁を始点及び終点として一方の端部開口１ｂを開閉可能に設けられる第１ファスナー３と、一対の側壁１ａの一対の側縁１ｄ同士の連接部分の他方側の端縁を始点及び終点として他方の端部開口１ｃを開閉可能に設けられる第２ファスナー４とを有する。第１ファスナー３及び第２ファスナー４は、ケーシング１の軸方向に対向して設けられている。第１ファスナー３及び第２ファスナー４は、第１物品収容部Ｐ及び第２物品収容部Ｑと１対１で対応して設けられている。当該小物入れは、第１ファスナー３の開閉のみによって第１物品収容部Ｐに物品を入出可能に構成されており、また同時に第２ファスナー４の開閉のみによって第２物品収容部Ｑに物品を入出可能に構成されている。第１ファスナー３及び第２ファスナー４の種類としては、面ファスナー、線ファスナー等が挙げられ、線ファスナーが好ましい。
【００３０】
側壁１ａの厚さ方向視において第１ファスナー３はコ字状に設けられ、第２ファスナー４は直線状に設けられることが好ましい。当該小物入れは、第１ファスナー３がコ字状に設けられ、第２ファスナー４が直線状に設けられることによって、第１物品収容部Ｐ及び第２物品収容部Ｑからの物品の意図しない脱落を防止しつつ、第１物品収容部Ｐ及び第２物品収容部Ｑへの物品の入出作業性を高めることができる。より詳しく説明すると、当該小物入れは、第１物品収容部Ｐに収容された物品は袋体２内で比較的安定的に保持されやすく、第１ファスナー３をコ字状に設け、かつ第１ファスナー３を全開した場合でも、物品が意図せず脱落するおそれが低い。また、当該小物入れは、上述のように一対の側壁１ａが一方の端部開口１ｂ側から他方の端部開口１ｃ側に徐々に拡幅する形状とされる場合、一方の端部開口１ｂからの物品の入出作業性が低下する場合が考えられる。しかしながら、第１ファスナー３がコ字状であることで、一対の側壁１ａの側縁１ｄ側の一部を用いて物品の入出作業を行うことができ、第１物品収容部Ｐへの物品の入出作業性を高めることができる。一方、当該小物入れは、ケーシング１の他方の端部開口１ｃ側に袋体２の底部が位置するため、第２物品収容部Ｑに収容された物品は他方の端部開口１ｃ側で保持される場合がある。しかしながら、この場合でも、第２ファスナー４が直接状であることによって、他方の端部開口１ｃを上側に向けた状態で物品の高さ位置よりも第２ファスナー４の高さ位置を上方に保つことができ、第２物品収容部Ｑから物品が意図せず脱落するおそれを抑制できる。また、当該小物入れは、第２ファスナー４が直線状である場合でも、例えば一対の側壁１ａを一方の端部開口１ｂ側から他方の端部開口１ｃ側に徐々に拡幅する形状とすることで、他方の端部開口１ｃから物品の入出作業を容易に行うことができる。
【００３１】
＜利点＞
当該小物入れは、袋体２の内部に第１物品収容部Ｐが画定され、かつ袋体２とケーシング１との間の空間に第２物品収容部Ｑが画定されており、ケーシング１の一方の端部開口１ｂが第１物品収容部Ｐの物品入出口を形成し、ケーシング１の他方の端部開口１ｃが第２物品収容部Ｑの物品入出口を形成している。当該小物入れは、第１物品収容部Ｐ及び第２物品収容部Ｑの物品入出口がケーシング１の両側に対向配置されているので、第１物品収容部Ｐ及び第２物品収容部Ｑに異なる種類の物品を容易かつ確実に分離して収容可能である。また、当該小物入れは、ケーシング１及び袋体２によって第１物品収容部Ｐ及び第２物品収容部Ｑを画定するので、部材点数を抑えることができ、取扱性に優れる。
【００３２】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００３３】
上記実施形態では、側壁の厚さ方向視において第１ファスナーがコ字状に設けられ、第２ファスナーが直線状に設けられる構成について説明したが、上記第１ファスナー及び第２ファスナーの形状は上記実施形態に記載の形状に限定されるものではない。当該小物入れは、例えば上記第１ファスナー及び第２ファスナーがいずれも直線状に設けられてもよく、上記第１ファスナー及び第２ファスナーがいずれもコ字状に設けられてもよい。また、上記第１ファスナー及び第２ファスナーの具体的形状は一対の側壁の形状に合わせて適宜変更可能である。
【産業上の利用可能性】
【００３４】
以上のように、本発明の小物入れは、複数種の物品を分離して収容可能であると共に、部材点数を抑え、取扱性を高めることができるので、硬貨、札、各種カード等を収容するための財布として適している。
【符号の説明】
【００３５】
１  ケーシング
１ａ  側壁
１ｂ，１ｃ  端部開口
１ｄ  側縁
２  袋体
２ａ  側膜
２ｂ  開口
２ｃ  リング状接続部
３  第１ファスナー
４  第２ファスナー
Ｐ  第１物品収容部
Ｑ  第２物品収容部
【図１】
2019170811.tif 000003
【図２】
2019170811.tif 000004
【図３】
2019170811.tif 000005
【図４】
2019170811.tif 000006